(57)【要約】【課題】  固定体あるいは振動体との間のあらゆる方向の振動による多方向の相対変位を確実に吸収可能として、耐久性が大きくかつ安定した品質を有し、また粉状体、液状等のあらゆる被搬送体について漏洩を完全に阻止して安定的に搬送可能とし、さらには部品点数が少なく構造が簡単で、組立性、メインテナンス性が良好な伸縮継手を備えた搬送装置を提供する。【解決手段】  内部に粒状あるいは粉状あるいは液状の被搬送体を収容可能な固定体と、前記被搬送体を加振可能な振動体とを接続する搬送路に、振動体と固定体との間の振動の伝達を緩和する伸縮継手を介装してなる伸縮継手を備えた搬送装置において、前記伸縮継手は、ゴム材からなる薄板を単層あるいは多重層に湾曲して伸縮可能な管状に一体成型され内部に搬送路が形成されたゴムベローズと、該ゴムベローズの両端部に固定され前記固定体あるいは振動体に結合されるフランジ部とを有してなり、前記振動体と固定体との相対変位により多方向に変形自在に構成されてなることを特徴とする。【選択図】    図１
2005219864.tif 000002
【特許請求の範囲】
【請求項１】
粒状あるいは粉状あるいは液状の被搬送体を加振し搬送する振動体と、前記被搬送体を内部に収容または内部を通過可能な被接続体と前記振動体との間に設けられた伸縮継手とを備え、前記伸縮継手はゴム材からなる薄板を単層あるいは多重層に湾曲して伸縮可能な管状に一体形成され、前記振動体と前記被接続体との相対変位により多方向に変形自在に構成されてなることを特徴とする伸縮継手を備えた搬送装置。
【請求項２】
内部に粒状あるいは粉状あるいは液状の被搬送体を収容可能な固定体と、前記被搬送体を加振可能な振動体とを搬送路にて接続するとともに、前記搬送路に前記振動体と固定体との間の振動の伝達を緩和する伸縮継手を介装し、前記被搬送体を、前記固定体と振動体との間を前記搬送路を通して搬送するように構成されてなる伸縮継手を備えた搬送装置において、前記伸縮継手は、ゴム材からなる薄板を単層あるいは多重層に湾曲して伸縮可能な管状に一体成型され内部に搬送路が形成されたゴムベローズと、該ゴムベローズの両端部に固定され前記固定体あるいは振動体に結合されるフランジ部とを有してなり、前記振動体と固定体との相対変位により多方向に変形自在に構成されてなることを特徴とする伸縮継手を備えた搬送装置。
【請求項３】
前記ゴムベローズは、前記搬送路の方向に膨径部と縮径部とが交互に連なる波形状に湾曲して形成され、前記縮径部の適所にリング状の保護リングを取り付けてなることを特徴とする請求項１記載の伸縮継手を備えた搬送装置。
【請求項４】
前記ゴムベローズの内部に、筒状に形成され内部に前記搬送路が形成される案内筒を設けてなることを特徴とする請求項１記載の伸縮継手を備えた搬送装置。
【請求項５】
固定体からなる被搬送体貯槽の内部に収容された粒状あるいは粉状の被搬送体を、伸縮継手が介装された搬送路を通して前記被搬送体貯槽の下方に設置された振動コンベヤに搬入し、該振動コンベヤにおいて前記被搬送体に振動を付与しながら搬送し、該振動コンベヤの外部に搬出するように構成されてなる伸縮継手を備えた搬送装置において、前記伸縮継手は、ゴム材からなる薄板を単層あるいは多重層に湾曲して伸縮可能な管状に一体成型され内部に搬送路が形成されたゴムベローズと、該ゴムベローズの両端部に固定され前記被搬送体貯槽あるいは振動コンベヤに結合されるフランジ部とを有して、前記振動コンベヤと被搬送体貯槽との相対変位により多方向に変形自在に構成されてなり、さらに前記ゴムベローズの内部に、筒状に形成され内部に前記搬送路が形成される案内筒を設けてなることを特徴とする伸縮継手を備えた搬送装置。
【請求項６】
前記伸縮継手を、前記振動コンベヤの被搬送体出口と該振動コンベヤに接続される外部部材との間に設置したことを特徴とする請求項５記載の伸縮継手を備えた搬送装置。
【請求項７】
ゴム材からなる薄板を単層あるいは多重層に湾曲して伸縮可能な管状に一体成型されたゴムベローズと、前記ゴムベローズの内部に設けられた案内筒を備えてなることを特徴とする伸縮継手。
【請求項８】
前記案内筒は、片側においてのみ前記ゴムベローズに固定され、他方の端部に向かって外径が絞られてなることを特徴とする請求項７記載の伸縮継手。
【発明の詳細な説明】
【技術分野】
【０００１】
本発明は、焼却炉や溶融炉への廃棄物や灰を搬送する搬送装置等に適用され、粒状あるいは粉状あるいは液状の被搬送体を内部に収容可能な固定体と、被搬送体を加振可能な振動体とを振動緩和用の伸縮継手を介装した搬送路にて接続し、前記固定体と振動体との間を前記伸縮継手付きの搬送路を通して被搬送体を搬送するように構成された伸縮継手を備えた搬送装置に関する。
【背景技術】
【０００２】
廃棄物処理装置においては、溶融炉への灰の搬送路や焼却炉へのごみの搬送路に、被搬送体である灰やごみに振動を付与して小さく分散させながら溶融炉あるいは焼却炉へ搬送する振動コンベヤを設置している。
図５〜図７には、溶融炉への灰の搬送装置の従来の１例を示し、図７は溶融炉への灰の搬送装置における伸縮継手近傍の概略断面構成図、図６は伸縮継手の平面図、図５は伸縮継手の要部断面図（図６におけるＢ−Ｂ線断面図）である。
【０００３】
図７において、１０は被搬送体である灰が貯留される灰貯槽（被搬送体貯槽）、２０は該灰貯槽１０の下方に設置された振動コンベヤ、３０は前記灰貯槽の下部に設けられた灰出口と前記振動コンベヤ２０の灰入口との間に設置された伸縮継手である。該伸縮継手３０の内部に灰の搬送路１８が形成されている。
かかる搬送装置において、前記灰貯槽１０から搬出された灰は振動コンベヤ２０に送り込まれ、該振動コンベヤ２０において振動を付与されることにより小さく分散されながら搬送され、該振動コンベア２０の灰出口から図示しない溶融炉側へと搬送される。
【０００４】
図５〜図６は前記伸縮継手３０の一例を示し、図において、４０は無機繊維クロスからなり蛇腹状に形成された断面が矩形状のベローズで、該ベローズ４０の両端部は矩形状の押え板３１にガスケット３５及び芯入りガスケット３８を介して固定されている。
３３は前記押え板３１間に架設されて両端に該押え板３１を固定するボルト、３４は押え板３１固定用のナットである。３９は前記ベローズ４０の谷部の外周に嵌装された該ベローズ４０保護用の保護リングである。
【０００５】
また、特許文献１（特開平８−９４０４６号公報）には、廃棄物破砕機の出口ダクトの下方に伸縮継手を連結するとともに、該伸縮継手の下方に振動コンベヤを設置して、該振動コンベヤの振動を伸縮継手で吸収して出口ダクト側への振動の伝達を抑制するようにした廃棄物の搬送装置が開示されている。
【０００６】
【特許文献１】特開平８−９４０４６号公報
【発明の開示】
【発明が解決しようとする課題】
【０００７】
図５に示されるような、振動コンベヤを備えた溶融炉への灰の搬送装置においては、伸縮継手３０には、前記振動コンベヤ２０側と固定体である灰貯槽１０側との相対変位の繰り返しによって斜め上方（通常、搬送方向に直角な面に対して３０°程度傾斜した方向）から振動力が該伸縮継手３０のフランジ部を構成する押え板３１に作用し、これにより該伸縮継手３０のベローズ４０には繰り返し捩り力が作用する。
【０００８】
しかるに図５〜図６に示される従来の伸縮継手３０にあっては、ベローズ４０を無機繊維クロスからなり蛇腹状に形成しているため、振動コンベヤ２０の振動による灰の搬送方向の相対変位の繰り返しに対しては十分な強度を有する反面、前記のような、斜め上方からの振動力に伴なう捩りを吸収できず、かつ無機繊維クロスからなる該ベローズ４０自体の捩り力に対する強度が小さい。
従って、かかる従来の伸縮継手３０にあっては、前記のような捩り力によって蛇腹の山部あるいは谷部に亀裂が発生し易くなって、このためベローズ４０の耐久性が小さくなるとともに、前記亀裂の発生に伴ないベローズ４０から被搬送体の漏洩が発生する。
【０００９】
さらに、かかる従来の伸縮継手３０にあっては、蛇腹状に形成されたベローズ４０、該ベローズ４０の両端部を固定する押え板３１、ガスケット３５、芯入りガスケット３８、共締め用のボルト３３及びナット３４、保護リング３９等の多数の部品を組み合わせて構成されており、部品点数が多く構造が複雑で、灰貯槽１０側及び振動コンベヤ２０側への取付け取外しが煩雑で組立性、メインテナンス性が良好でない。
また、前記特許文献１に開示されている廃棄物の搬送装置においても、前記と同様な問題点を抱えている。
【００１０】
従って、本発明はかかる従来技術の課題に鑑み、固定体あるいは振動体との間のあらゆる方向の振動による多方向の相対変位を確実に吸収可能として、耐久性が大きくかつ安定した品質を有し、また粉状体、液状等のあらゆる被搬送体について漏洩を完全に阻止して安定的に搬送可能とし、さらには部品点数が少なく構造が簡単で、組立性、メインテナンス性が良好な伸縮継手を備えた搬送装置を提供することを目的とする。
【課題を解決するための手段】
【００１１】
本発明はかかる目的を達成するもので、粒状あるいは粉状あるいは液状の被搬送体を加振し搬送する振動体と、前記被搬送体を内部に収容または内部を通過可能な被接続体と前記振動体との間に設けられた伸縮継手とを備え、前記伸縮継手はゴム材からなる薄板を単層あるいは多重層に湾曲して伸縮可能な管状に一体形成され、前記振動体と前記被接続体との相対変位により多方向に変形自在に構成されてなることを特徴とする。
【００１２】
かかる発明において、具体的には次のように構成するのがよい。
即ち、内部に粒状あるいは粉状あるいは液状の被搬送体を収容可能な固定体と、前記被搬送体を加振可能な振動体とを搬送路にて接続するとともに、前記搬送路に前記振動体と固定体との間の振動の伝達を緩和する伸縮継手を介装し、前記被搬送体を、前記固定体と振動体との間を前記搬送路を通して搬送するように構成されてなる伸縮継手を備えた搬送装置において、前記伸縮継手は、ゴム材からなる薄板を単層あるいは多重層に湾曲して伸縮可能な管状に一体成型され内部に搬送路が形成されたゴムベローズと、該ゴムベローズの両端部に固定され前記固定体あるいは振動体に結合されるフランジ部とを有してなり、前記振動体と固定体との相対変位により多方向に変形自在に構成されてなる。
ここで、前記被接続体は、固定体、他の搬送装置など、搬送装置と接続される物体であればよい。
【００１３】
また、本発明は、ゴム材からなる薄板を単層あるいは多重層に湾曲して伸縮可能な管状に一体成型されたゴムベローズと、前記ゴムベローズの内部に設けられた案内筒を備えてなることを特徴とする伸縮継手にある。
ここで好ましくは、前記案内筒は、片側においてのみ前記ゴムベローズに固定され、他方の端部に向かって外径が絞られて形成される。
【００１４】
かかる発明によれば、被接続体あるいは振動体に結合されるフランジ部が両端部に固定されたゴムベローズを、ゴム材からなる薄板を単層あるいは多重層に湾曲して伸縮可能な管状に一体成型して伸縮継手を構成したので、前記振動体の振動による該振動体と被接続体との間の垂直方向、水平方向、及び斜め方向の相対変位、つまりあらゆる方向の相対変位に対する変形能が大きくなり、前記振動による多方向の相対変位を確実に吸収可能となるとともに、衝撃を伴う振動に対しても十分に吸収できる。
また、前記ゴムベローズは、継ぎ目の無い一体成型にて形成されているので、品質が安定しており、耐久性も大きくなる。
【００１５】
また、前記ゴムベローズを、ゴム材からなる薄板を単層あるいは多重層に湾曲し伸縮可能な管状に一体成型して構成したので、密閉性が良好であり、粒状の被搬送体は勿論、粉状あるいは液状の被搬送体のように漏洩し易い搬送体についても、漏洩を完全に阻止して安定的に搬送できる。
さらには、前記伸縮継手は、一体成型されたゴムベローズの両端にフランジ部を固定するのみで構成できるので、部品点数が少なく構造が簡単であり、固定体あるいは振動体への取付け取外しも容易にできる。
【００１６】
かかる発明において好ましくは、前記ゴムベローズは、前記搬送路の方向に膨径部と縮径部とが交互に連なる波形状に湾曲して形成され、前記縮径部の適所にリング状の保護リングを取り付けてなる。
このように構成すれば、ゴムベローズを搬送路の方向に長く膨径部と縮径部とが交互に連なる波形状に形成することにより、固定体と振動体との間の垂直方向、水平方向、及び斜め方向の相対変位に対するゴムベローズの変形能が大きくなり、前記振動体における大振幅の振動についても十分に吸収することができる。
また、縮径部の適所にリング状の保護リングを取り付けているので、ゴムベローズの軟性による倒れや歪（いびつ）な変形を回避できる。
【００１７】
また、かかる発明において好ましくは、前記ゴムベローズの内部に、筒状に形成され内部に前記搬送路が形成される案内筒を設けてなる。
ここで、前記案内筒は、その断面形状が円形状、矩形状に限らず、中空状に形成されていればよい。
このように構成すれば、搬送路を搬送される被搬送体は案内筒の内面に衝突しながら搬送されるので、該案内筒により被搬送体がゴムベローズの内面に直接衝突するのを回避でき、かかる被搬送体の衝突に伴うゴムベローズの破損を防止できる。
【００１８】
また、かかる発明において好ましくは、前記ゴムベローズの内部に筒状に形成され内部に前記搬送路が形成される案内筒は片端においてのみ前記ゴムベローズと固定され、他方の端部に向かって外形が絞られている。
このように構成すれば、前記案内筒と前記ゴムベローズとの接触が防止でき、かかる案内筒との摩擦に伴うゴムベローズの破損を防止できる。
【００１９】
また前記伸縮継手を、振動コンベヤを備えた搬送装置に適用した発明として、固定体からなる被搬送体貯槽の内部に収容された粒状あるいは粉状の被搬送体を、伸縮継手が介装された搬送路を通して前記被搬送体貯槽の下方に設置された振動コンベヤに搬入し、該振動コンベヤにおいて前記被搬送体に振動を付与しながら搬送し、該振動コンベヤの外部に搬出するように構成されてなる伸縮継手を備えた搬送装置において、前記伸縮継手は、ゴム材からなる薄板を単層あるいは多重層に湾曲して伸縮可能な管状に一体成型され内部に搬送路が形成されたゴムベローズと、該ゴムベローズの両端部に固定され前記被搬送体貯槽あるいは振動コンベヤに結合されるフランジ部とを有して、前記振動コンベヤと被搬送体貯槽との相対変位により多方向に変形自在に構成されてなり、さらに前記ゴムベローズの内部に、筒状に形成され内部に前記搬送路が形成される案内筒を設けてなることを特徴とする伸縮継手を備えた搬送装置を提案する。
かかる発明において、前記伸縮継手を、前記振動コンベヤの被搬送体出口と該振動コンベヤに接続される外部部材との間にも設置するのがよい。
【００２０】
かかる発明によれば、被搬送体貯槽あるいは振動コンベヤに結合されるフランジ部が両端部に固定されたゴムベローズを、ゴム材からなる薄板を単層あるいは多重層に湾曲して伸縮可能な管状に一体成型して伸縮継手を構成したので、前記振動コンベヤの振動による該振動コンベヤと被搬送体貯槽との間の垂直方向、水平方向、及び斜め方向の相対変位、つまりあらゆる方向の相対変位に対する変形能が大きくなり、前記振動による多方向の相対変位を確実に吸収可能となるとともに、衝撃を伴う振動に対しても十分に吸収できる。
特に、前記振動コンベヤを備えた搬送装置にあっては、該振動コンベヤの振動によって、ゴムベローズに斜め上方から振動荷重が伸縮継手を捩る方向に作用するので、従来の伸縮継手ではかかる振動によって疲れ破壊を起し易いが、かかる発明においては、前記のように、ゴムベローズがあらゆる方向の相対変位に対する変形能が大きいので、捩りを伴う振動荷重に対しても十分な強度を有する。
【００２１】
また、かかる振動コンベヤを備えた搬送装置によれば、前記ゴムベローズを、ゴム材からなる薄板を単層あるいは多重層に湾曲し伸縮可能な管状に一体成型して構成したので、密閉性が良好であり、前記被搬送体貯槽からの被搬送体が、粒状の被搬送体は勿論、粉状あるいは液状の被搬送体のように漏洩し易い被搬送体であっても、漏洩を完全に阻止して安定的に搬送できる。
さらには、前記伸縮継手は、一体成型されたゴムベローズの両端にフランジ部を固定するのみで構成できるので、部品点数が少なく構造が簡単であり、被搬送体貯槽あるいは振動コンベヤへの取付け取外しも容易にできる。
【発明の効果】
【００２２】
本発明によれば、ゴムベローズを、ゴム材からなる薄板を単層あるいは多重層に湾曲して伸縮可能な管状に一体成型して伸縮継手を構成したので、振動体の振動による該振動体と被接続体との間の垂直方向、水平方向、及び斜め方向の相対変位、つまりあらゆる方向の相対変位に対する変形能が大きくなり、振動による多方向の相対変位を確実に吸収可能となるとともに、衝撃を伴う振動に対しても十分に吸収できる。
また、前記ゴムベローズを、ゴム材からなる薄板を単層あるいは多重層に湾曲し伸縮可能な管状に一体成型して構成したので、密閉性が良好であり、粒状の被搬送体は勿論、粉状あるいは液状の被搬送体のように漏洩し易い被搬送体についても、漏洩を完全に阻止して安定的に搬送できる。
【発明を実施するための最良の形態】
【００２３】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【００２４】
図１は本発明の実施例に係る振動コンベヤを備えた灰の搬送装置における伸縮継手の搬送方向に沿う断面図（図２におけるＡ−Ａ線断面図）、図２は前記伸縮継手の平面図である。図３は溶融炉への灰の搬送装置における伸縮継手近傍の概略断面構成図、図４は振動コンベヤと伸縮継手との接続態様を示す斜視図である。
【００２５】
本発明の実施例に係る灰の搬送装置を示す図３及び図４において、１０は搬送体である灰が貯留される被搬送体貯槽、２０は該被搬送体貯槽１０の下方に設置された振動コンベヤ、１００は前記被搬送体貯槽１０の下部に設けられた被搬送体出口ダクト１０ａと前記振動コンベヤ２０の被搬送体入口との間に設置された伸縮継手である。
１７は前記伸縮継手１００の内部に設置されたシュートで、筒状に形成されて内部に灰の搬送路１８が形成されており、該シュート１７によって該伸縮継手１００のゴムベローズ１（図１参照）の内周を覆うようになっている。１１は前記搬送体貯槽１０の被搬送体出口ダクト１０ａと前記伸縮継手１００とを連結するフランジ、１２は前記伸縮継手１００と振動コンベヤ２０の被搬送体入口とを連結するフランジである。
前記伸縮継手１００は、図４に示されるように、振動コンベヤ２０の被搬送体出口と溶融炉側部材（図示省略）との間にも介装され、振動コンベヤ２０の入口側及び出口側の双方において、該伸縮継手１００により、振動コンベヤ２０の振動を吸収可能としている。１２ａは前記溶融炉側部材への接続用フランジである。
【００２６】
かかる搬送装置において、前記被搬送体貯槽１０から搬出された灰は、シュート１７内の搬送路１８を通って振動コンベヤ２０に送り込まれ、該振動コンベヤ２０において振動を付与されることにより小さく分散されながら搬送され、該振動コンベヤ２０の被搬送体出口から図示しない溶融炉側へと搬送される。
前記灰の搬送時において、前記ゴムベローズ１の内部に、筒状に形成されたシュート１７を設けたことにより、搬送路１８を搬送される灰（被搬送体）はシュート１７の内面に衝突しながら搬送されるので、該シュート１７により灰の塊がゴムベローズ１の内面に直接衝突するのを回避でき、かかる灰の塊の衝突に伴うゴムベローズ１の破損を防止できる。
【００２７】
前記実施例においては、被搬送体貯槽１０をゴムベローズ１に対して搬送方向の上流側、振動コンベヤ２０を下流側に配置したが、前記振動コンベヤ２０をゴムベローズ１に対して搬送方向の上流側、被搬送体貯槽１０を下流側に配置しても、またゴムベローズ１に対して上流側、下流側ともに振動コンベヤ２０を配置してもよい。
【００２８】
前記伸縮継手１００の詳細を示す図１〜図２において、１はゴムベローズで、ゴム材からなる薄板を２重層（単層あるいは３重層以上でもよい）に湾曲して伸縮可能な管状、つまり前記搬送路１８の方向に膨径部１ｃと縮径部１ｄとが交互に連なる波形状に一体成型され、内部に灰の搬送路１８が形成されている。
２は前記ゴムベローズ１の両端が固定されるビードリングで、上側のビードリング２は前記被搬送体出口ダクト１０ａにボルト３及びナット４により固定され、下側のビードリング２は前記振動コンベヤ２０の入口にボルト３及びナット４により固定されている。
【００２９】
また、前記ゴムベローズ１には、前記縮径部１ｄの外周にリング状の保護リング５を取り付けて、該保護リング５により前記縮径部１ｄの径を決めている。
このように、縮径部１ｄの外周にリング状の保護リング５を取り付けているので、ゴムベローズ１の軟性による倒れや歪（いびつ）な変形を回避できる。
尚、図１〜３において、７は搬送路１８の中心線である。
【００３０】
かかる実施例によれば、被搬送体貯槽１０あるいは振動コンベヤ２０に結合されるビードリング（フランジ部２）が両端部に固定されたゴムベローズ１を、ゴム材からなる薄板を２重層（単層あるいは３重層以上でもよい）に湾曲して伸縮可能な管状に一体成型して伸縮継手１００を構成したので、前記振動コンベヤ２０の振動による該振動コンベヤ２０と被搬送体貯槽１０との間の垂直方向、水平方向、及び斜め方向の相対変位、つまりあらゆる方向の相対変位に対する変形能が大きくなり、前記振動による多方向の相対変位を確実に吸収可能となるとともに、衝撃を伴う振動も十分に吸収できる。
【００３１】
従って、かかる灰の搬送装置において、前記振動コンベア２０側と固定体である被搬送体貯槽１０側との相対変位の繰り返しによって斜め上方（通常、搬送方向に直角な面に対して３０°程度傾斜した方向）から振動力が該伸縮継手１００のフランジ部を構成するビードリング２に作用し、これにより該伸縮継手１００のゴムベローズ１に繰り返し捩り力が作用するが、かかる実施例によれば、前記のように、ゴムベローズ１はあらゆる方向の相対変位に対する変形能が大きいので、捩りを伴う振動荷重に対しても十分は強度を有する。
また、前記ゴムベローズ１を搬送路１８の方向に膨径部１ｃと縮径部１ｄとが交互に連なる波形状に形成したので、固定体である被搬送体貯槽１０側と振動体である振動コンベヤ２０との間の、垂直方向、水平方向、及び傾斜方向の相対変位に対する該ゴムベローズ１の変形能がより大きくなり、前記振動コンベヤ２０における大振幅の振動についても十分に吸収することができる。
また、前記ゴムベローズ１は、継ぎ目の無い一体成型にて形成されているので、品質が安定する。
【００３２】
また、かかる実施例によれば、前記ゴムベローズ１を、ゴム材からなる薄板を単層あるいは多重層に湾曲し伸縮可能な管状に一体成型して構成したので、密閉性が良好であり、前記被搬送体貯槽１０からの灰（被搬送体）が、粒状の被搬送体は勿論、粉状あるいは液状の被搬送体のように漏洩し易い灰（被搬送体）であっても、漏洩を完全に阻止して安定的に搬送できる。
さらには、前記伸縮継手１００は、一体成型されたゴムベローズ１の両端にビードリング２を固定するのみで構成できるので、部品点数が少なく構造が簡単であり、被搬送体貯槽１０あるいは振動コンベヤ２０への取付け取外しも容易にできる。
【産業上の利用可能性】
【００３３】
本発明によれば、被搬送体貯槽等の固定体あるいは振動コンベヤ等の振動体との間の振動による多方向の相対変位が確実に吸収可能となり、耐久性が大きくかつ安定した品質を有し、また粉状体、液状等のあらゆる被搬送体について漏洩を完全に阻止して安定的に搬送可能となり、さらには部品点数が少なく構造が簡単で、組立性、メインテナンス性が良好な伸縮継手を備えた搬送装置を提供できる。
【図面の簡単な説明】
【００３４】
【図１】本発明の実施例に係る振動コンベヤを備えた灰の搬送装置における伸縮継手の搬送方向に沿う断面図（図２におけるＡ−Ａ線断面図）である。
【図２】前記伸縮継手の平面図である。
【図３】前記実施例における溶融炉への灰の搬送装置の伸縮継手近傍の概略断面構成図である。
【図４】前記実施例における振動コンベヤと伸縮継手との接続態様を示す斜視図である。
【図５】従来技術に係る伸縮継手の要部断面図（図６におけるＢ−Ｂ線断面図）である。
【図６】従来技術に係る伸縮継手の平面図である。
【図７】従来技術に係る溶融炉への灰の搬送装置における伸縮継手近傍の概略断面構成図である。
【符号の説明】
【００３５】
１００    伸縮継手
１    ゴムベローズ
１ｃ    膨径部
１ｄ    縮径部
２    ビードリング
３    ボルト
４    ナット
５    保護リング
１０    被搬送体貯槽
１０ａ    被搬送体出口ダクト
１１、１２    フランジ
１７    シュート
１８    搬送路
２０    振動コンベヤ
【図１】
2005219864.tif 000003
【図２】
2005219864.tif 000004
【図３】
2005219864.tif 000005
【図４】
2005219864.tif 000006
【図５】
2005219864.tif 000007
【図６】
2005219864.tif 000008
【図７】
2005219864.tif 000009